(57)【要約】  【課題】  複数の情報提供者が個別的に無線タグを作成することなく、かつ、共通の物品に対する複数の情報提供者からの情報を統一的に把握し易いかたちで提供できるような無線タグを実現することのできる情報書き込み装置及びその装置での処理方法を提供するものであることである。  【解決手段】  情報提供者を識別する識別情報と該識別情報に対応付けられた提供情報とを取得する情報取得手段（Ｓ２００）と、前記提供情報取得手段により取得された複数の情報提供者それぞれの識別情報と提供情報とが対応付けられた所定フォーマットのタグ情報を生成するタグ情報生成手段（Ｓ２０１、Ｓ２０２）と、前記タグ情報を物品３０に貼付されるべき無線タグ１０の記憶手段に書き込むタグ情報書き込み手段（Ｓ２０３、２１０）とを有する構成となる。【選択図】  図３
2005258871.tif 000002
【特許請求の範囲】
【請求項１】
情報提供者を識別する識別情報と該識別情報に対応付けられた提供情報とを取得する情報取得手段と、
前記提供情報取得手段により取得された複数の情報提供者それぞれの識別情報と提供情報とが対応付けられた所定フォーマットのタグ情報を生成するタグ情報生成手段と、
前記タグ情報を物品に貼付されるべき無線タグの記憶手段に書き込むタグ情報書き込み手段とを有することを特徴とする無線タグの情報書き込み装置。
【請求項２】
前記情報取得手段は、情報提供者端末から送信される前記識別情報及び提供情報を所定の通信ネットワークを介して受信する受信手段を有し、該受信手段にて受信された前記識別情報及び提供情報を取得することを特徴とする請求項１記載の無線タグの情報書き込み装置。
【請求項３】
前記情報取得手段は、前記識別情報及び提供情報を入力するための操作ユニットを有し、前記操作ユニットから入力された前記識別情報及び提供情報を取得することを特徴とする請求項１記載の無線タグの情報書き込み装置。
【請求項４】
前記情報提供者を識別する識別情報は、前記物品の流通に係わる業者を識別する識別情報を含むことを特徴とする請求項１乃至３のいずれかに記載の無線タグの情報書き込み装置。
【請求項５】
前記情報提供者を識別する識別情報は、前記物品を広告媒体として利用する業者を識別する識別情報を含むことを特徴とする請求項１乃至４のいずれかに記載の無線タグの情報書き込み装置。
【請求項６】
前記複数の情報提供者それぞれの提供情報は、所定の者が管理する情報源を特定する情報源識別情報を含むことを特徴とする請求項１乃至５のいずれかに記載の無線タグの情報書き込み装置。
【請求項７】
物品に貼付されるべき無線タグに情報を書き込む情報書き込み装置での処理方法であって、
情報提供者を識別する識別情報と該識別情報に対応付けられた提供情報とを取得する情報取得処理ステップと、
前記情報取得処理ステップにて取得された複数の情報提供者それぞれの識別情報と提供情報とが対応付けられた所定フォーマットのタグ情報を生成するタグ情報生成ステップと、
前記タグ情報を前記無線タグの記憶手段に書き込むタグ情報書き込み処理ステップとを有することを特徴とする処理方法。
【請求項８】
前記情報取得処理ステップは、情報提供者端末から送信される前記識別情報及び提供情報を通信ユニットが所定の通信ネットワークを介して受信する受信処理ステップを有し、前記通信ユニットでの前記受信処理ステップにより受信された前記識別情報及び提供情報を取得することを特徴とする請求項７記載の処理方法。
【請求項９】
前記情報取得処理ステップは、操作ユニットの操作により入力された前記識別情報及び提供情報を取得することを特徴とする請求項７記載の処理方法。
【請求項１０】
前記情報提供者を識別する識別情報は、前記物品の流通に係わる業者を識別する識別情報を含むことを特徴とする請求項７乃至９のいずれかに記載の処理方法。
【請求項１１】
前記情報提供者を識別する識別情報は、前記物品を広告媒体として利用する業者を識別する識別情報を含むことを特徴とする請求項６乃至９のいずれかに記載の処理方法。
【請求項１２】
前記複数の情報提供者それぞれの提供情報は、所定の者が管理する情報源を特定する情報源識別情報を含むことを特徴とする請求項１乃至５のいずれかに記載の処理方法。
【発明の詳細な説明】
【技術分野】
【０００１】
本発明は、無線タグに対する情報の書き込み装置及びその装置での処理方法に関する。
【背景技術】
【０００２】
従来、商品等の物品に設けられる無線タグと、前記無線タグから無線通信により情報を読み出すリーダ装置としての携帯端末とを有するシステムが提案されている（例えば、特許文献１参照）。このような従来のシステムでは、無線タグにその商品の製造元に関する情報（名称、連絡先等）やその製造元が提供する情報（例えば、前記商品に関する情報等）の掲載されたインターネット上のページを特定するＵＲＬが書き込まれている。携帯端末（リーダ装置）を所持する利用者がその携帯端末を無線タグが設けられた商品に近づけると、携帯端末が無線タグから無線通信により前記製造元に関する情報及び前記ＵＲＬを読み出す。そして、携帯端末の表示ユニットに前記製造元に関する情報や前記ＵＲＬが表示される。
【０００３】
利用者は、前記表示ユニットに表示される前記製造元に関する情報を見ることにより、前記商品の製造元を知ることができ、また、前記表示ユニットに表示されたＵＲＬに基づいてインターネット上のページにアクセスすることにより、そのページに掲載される製造元から提供された商品に関する情報を知ることができる。
【特許文献１】特開２００３−１５７４７７号公報
【発明の開示】
【発明が解決しようとする課題】
【０００４】
ところで、前述した従来のシステムに用いられる無線タグは、その無線タグが付される物品に係わる情報提供者（例えば、製造元）が作製している。従って、物品に係わる情報提供者が複数存在する場合、例えば、商品の流通に係わる複数の業者が情報提供者となる場合、その複数の情報提供者のそれぞれが個別的に情報を書き込んだ無線タグを作製することとなる。また、無線タグに書き込むべき提供情報のフォーマットは各情報提供者により独自に決められる。
【０００５】
しかし、このように物品に係わる情報提供者が複数存在する場合、各情報提供者にて作製された複数の無線タグが物品に貼付されることになり、物品の見栄えを損ねることがあり、また、その情報提供者の数が多くなると、物品に数多くの無線タグを貼付することがスペース的に無理になることがある。
【０００６】
また、利用者はリーダ装置を用いて同一の物品に対してそれぞれフォーマットの異なった提供情報を取得することとなり、共通の物品に関する情報を統一的に把握し難いという問題もある。
【０００７】
本発明は、前述した従来のシステムの問題を解決するためになされたものであって、複数の情報提供者が個別的に無線タグを作製することなく、かつ、共通の物品に対する複数の情報提供者からの情報を統一的に把握し易いかたちで提供できるような無線タグを実現することのできる情報書き込み装置及びその装置での処理方法を提供するものである。
【課題を解決するための手段】
【０００８】
本発明に係る無線タグの情報書き込み装置は、情報提供者を識別する識別情報と該識別情報に対応付けられた提供情報とを取得する情報取得手段と、前記提供情報取得手段により取得された複数の情報提供者それぞれの識別情報と提供情報とが対応付けられた所定フォーマットのタグ情報を生成するタグ情報生成手段と、前記タグ情報を物品に貼付されるべき無線タグの記憶手段に書き込むタグ情報書き込み手段とを有する構成となる。
【０００９】
このような構成により、物品に貼付される無線タグには、複数の情報提供者それぞれの識別情報と提供情報とが対応付けられた所定フォーマットのタグ情報が保存されることになる。従って、前記複数の情報提供者のそれぞれは、物品に貼付すべき無線タグを個別に用意して提供情報を書き込む必要がない。また、前記無線タグから無線通信により前記タグ情報を読み出したリーダ装置では、複数の情報提供者のそれぞれを特定する識別情報と提供情報とが対になって所定の形式にて表示され得るようになる。
【００１０】
また、本発明に係る無線タグの情報書き込み装置は、前記情報取得手段が、情報提供者端末から送信される前記識別情報及び提供情報を所定の通信ネットワークを介して受信する受信手段を有し、該受信手段にて受信された前記識別情報及び提供情報を取得する構成とすることができる。
【００１１】
このような構成により、情報提供者端末から複数の情報提供者それぞれの識別情報及び提供情報を情報書き込み装置に通信ネットワークを介して送信することにより、前記提供情報と前記識別情報とを所定のフォーマットにて無線タグに書き込むことができるようになる。
【００１２】
更に、本発明に係る無線タグの情報書き込み装置は、前記情報取得手段が、前記識別情報及び提供情報を入力するための操作ユニットを有し、前記操作ユニットから入力された前記識別情報及び提供情報を取得する構成とすることができる。
【００１３】
このような構成により、複数の情報提供者のそれぞれが無線タグの情報書き込み装置を管理する者（例えば、サービス業者）に識別情報及び提供情報を通知（電話、ファックス、紙面等）すれば、前記情報書き込み装置のオペレータによる操作ユニットの操作により、前記提供情報と前記識別情報とを所定のフォーマットにて無線タグに書き込むことができるようになる。
【００１４】
また、本発明に係る無線タグの情報書き込み装置は、前記情報提供者を識別する識別情報が、前記物品の流通に係わる業者を識別する識別情報を含む構成とすることができる。
【００１５】
このような構成により、無線タグが貼付されるべき物品の流通に係わる複数の業者を特定する識別情報とその業者の提供情報とが所定のフォーマットのタグ情報として前記無線タグに書き込まれる。これにより、前記無線タグから無線通信により前記タグ情報を読み出したリーダ装置では、前記無線タグの貼付された物品の流通に係わる複数の業者それぞれを特定する識別情報と提供情報とが対になって所定の形式にて表示され得るようになる。
【００１６】
更に、本発明に係る無線タグの情報書き込み装置は、前記情報提供者を識別する識別情報が、前記物品を広告媒体として利用する業者を識別する識別情報を含む構成とすることができる。
【００１７】
このような構成により、無線タグが貼付されるべき物品を広告媒体として利用する業者を特定する識別情報とその業者の提供情報（広告情報）とが所定のフォーマットのタグ情報として無線タグに書き込まれる。これにより、前記無線タグから無線通信により前記タグ情報を読み出したリーダ装置では、提供情報（広告情報）及びその提供情報を提供する業者を特定する識別情報とが対になって所定の形式にて表示され得るようになる。
【００１８】
また、本発明に係る無線タグの情報書き込み装置は、前記複数の情報提供者それぞれの提供情報が、所定の者が管理する情報源を特定する情報源識別情報を含む構成とすることができる。
【００１９】
このような構成により、複数の情報提供者を特定する識別情報と所定の者が管理する情報源を特定する情報源識別情報とが所定フォーマットのタグ情報として無線タグに書き込まれる。これにより、無線タグから無線通信により前記タグ情報を読み出したリーダ装置では、複数の情報提供者のそれぞれを特定する識別情報と所定の者が管理する情報源を特定する情報源識別情報とが対になって所定の形式にて表示され得るようになる。複数の情報提供者それぞれから提供すべき詳細な情報を前記情報源に登録することの依頼を受けた前記所定の者は前記情報源にその詳細な情報を登録することができる。この場合、前記情報源識別情報を取得したリーダ装置は、更に、その前記情報源識別情報にて特定される前記情報源から前記複数の情報提供者それぞれから提供される詳細な情報を取得することができる。従って、各情報提供者は、詳細な情報を提供するための情報源を有していなくても、前記所定の者に対して依頼すれば、タグ情報に含まれない更に詳細な情報をリーダ装置の所持者に提供することができるようになる。
【００２０】
前記情報源は、所定のネットワークに接続されたサーバ等の装置に形成することができる。また、前記所定のネットワークがＩＰネットワークであれば、前記情報源を特定する情報源識別情報としてＵＲＬを用いることができる。
【００２１】
本発明に係る処理方法は、物品に貼付されるべき無線タグに情報を書き込む情報書き込み装置での処理方法であって、情報提供者を識別する識別情報と該識別情報に対応付けられた提供情報とを取得する情報取得処理ステップと、前記情報取得処理ステップにて取得された複数の情報提供者それぞれの識別情報と提供情報とが対応付けられた所定フォーマットのタグ情報を生成するタグ情報生成ステップと、前記タグ情報を前記無線タグの記憶手段に書き込むタグ情報書き込み処理ステップとを有する構成となる。
【００２２】
このような構成により、物品に貼付される無線タグに、複数の情報提供者それぞれの識別情報と提供情報とが対応付けられた所定フォーマットのタグ情報が保存されることになる。
【００２３】
また、本発明に係る処理方法は、前記情報取得処理ステップが、情報提供者端末から送信される前記識別情報及び提供情報を通信ユニットが所定の通信ネットワークを介して受信する受信処理ステップを有し、前記通信ユニットでの前記受信処理ステップにより受信された前記識別情報及び提供情報を取得する構成とすることができる。
【００２４】
このような構成により、情報提供者端末から送信される複数の情報提供者それぞれの識別情報と提供情報とが対になって所定フォーマットのタグ情報として無線タグに書き込まれるようになる。
【００２５】
更に、本発明に係る処理方法は、前記情報取得処理ステップが、操作ユニットの操作により入力された前記識別情報及び提供情報を取得する構成とすることができる。
【００２６】
このような構成により、操作ユニットから入力された複数の情報提供者それぞれの識別情報と提供情報とが対になって所定フォーマットのタグ情報として無線タグに書き込まれるようになる。
【００２７】
また、本発明に係る処理方法は、前記情報提供者を識別する識別情報が、前記物品の流通に係わる業者を識別する識別情報を含む構成とすることができる。
【００２８】
このような構成により、無線タグが貼付されるべき物品の流通の係わる複数の業者それぞれの識別情報と提供情報とが対になって所定フォーマットのタグ情報として無線タグに書き込まれるようになる。
【００２９】
更に、本発明に係る処理方法は、前記情報提供者を識別する識別情報が、前記物品を広告媒体として利用する業者を識別する識別情報を含む構成とすることができる。
【００３０】
このような構成により、提供情報（広告情報）とその提供情報を提供する業者を識別する識別情報とが対になって所定フォーマットのタグ情報として無線タグに書き込まれるようになる。
【００３１】
また、本発明に係る処理方法は、前記複数の情報提供者それぞれの提供情報が、所定の者が管理する情報源を特定する情報源識別情報を含む構成とすることができる。
【００３２】
このような構成により、複数の情報提供者を特定する識別情報と所定の者が管理する情報源を特定する情報源識別情報とが所定フォーマットのタグ情報として無線タグに書き込まれる。
【発明の効果】
【００３３】
本発明に係る無線タグの情報書き込み装置及びその装置での処理方法によれば、物品に貼付される無線タグには、複数の情報提供者それぞれの識別情報と提供情報とが対応付けられた所定フォーマットのタグ情報が保存されることになる。これにより、前記複数の情報提供者のそれぞれは、物品に貼付すべき無線タグを個別に用意して提供情報を書き込む必要がなく、前記無線タグから無線通信により前記タグ情報を読み出したリーダ装置では、複数の情報提供者のそれぞれを特定する識別情報と提供情報とが対になって所定の形式にて表示され得るようになる。その結果、複数の情報提供者が個別的に無線タグを作製することなく、かつ、共通の物品に対する複数の情報提供者からの情報を統一的に把握し易いかたちで提供するような無線タグを実現することができるようになる。
【発明を実施するための最良の形態】
【００３４】
以下、本発明の実施の形態について、図面を用いて説明する。
【００３５】
本発明の実施の一形態に係る無線タグの情報書き込み装置が適用されるシステムは、図１に示すように構成される。
【００３６】
図１において、無線タグに対するタグ情報書き込みサービス業者の事業所には、書き込み管理サーバ２００、データベース２０１、操作ユニット２０２、表示ユニット２０３、タグライター２１０が設置されている。タグライター２１０は、管理サーバ２００の制御のもと、セットされた無線タグ１０に対して情報の書き込みを行なう。データベース２０１は、商品毎にその商品に貼付されるべき無線タグに書き込むべき情報を管理する。書き込み管理サーバ２００は通信機能を有し、所定の通信ネットワーク３００（例えば、インターネット）に接続されている。また、ある商品の製造業者が管理する情報提供者端末１０１、前記商品の物流業者が管理する情報提供者端末１０２、前記商品の小売業者が管理する情報提供者端末１０３、及び前記商品を広告媒体として利用する業者（以下、広告主という）が管理する情報提供者端末１０４がそれぞれ通信ネットワーク３００に接続されている。
【００３７】
無線タグ１０は、図２に示すように構成されている。
【００３８】
図２において、無線タグ１０は、アンテナ１１、無線回路部１２、制御部１３及びメモリ部１４を有している。メモリ部１４は、例えば、フラッシュメモリ等の不揮発性メモリにて構成され、タグ情報の格納のために使用される。アンテナ１１がタグライター２１０からの電波を受信すると電力が誘起され、その電力により無線回路部１２、制御部１３及びメモリ部１４が活性化される。そして、タグライター２１０から制御信号と共に送信されるタグ情報を無線回路部１２がアンテナ１１を介して受信したときに、制御部１３の制御のもと、メモリ部１４に前記タグ情報が書き込まれる。また、無線タグ１０のアンテナ１１がリーダ装置からの電波を受信して、前述したのと同様に無線回路部１２、制御部１３及びメモリ部１４が活性化された状態で、リーダ装置から送信される制御信号を無線回路部１２がアンテナ１１を介して受信すると、制御部１３の制御のもと、メモリ部１４から前記タグ情報が読み出され、そのタグ情報が無線回路部１２からリーダ装置に送信される。
【００３９】
ある商品の製造業者（製造元）は、その商品の流通に係わる業者、例えば、その商品の運送に携わる物流業者やその商品の小売に携わる小売業者等、及びその商品を広告媒体として利用する広告主に、その商品に貼付される無線タグに各業者が提供する情報を書き込むことの希望の問い合わせを行なう。この問い合わせは、電話、ファックス、電子メール等、任意の方法にて行ない得る。
【００４０】
前述したような商品の製造業者からその商品の流通に係わる業者及び広告主に対する問い合わせの後、図１に示すシステムでは、図３に示すような手順に従って処理がなされる。
【００４１】
物流業者、小売業者、広告主は、前記問い合わせに対して無線タグへの情報の書き込みを希望する場合、自分の管理する情報提供者端末１０２、１０３、１０４に対して業者を特定するための識別情報（業者名、連絡先等）と提供すべき情報（以下、適宜、提供情報という）とを入力し、製造業者の管理する情報提供者端末１０１への送信操作を行なう。すると、図３に示すように、物流業者の管理する情報提供者端末１０２からその物流業者を特定するための識別情報と提供情報とを含む書き込み依頼１が情報提供者端末１０１に通信ネットワーク３００を介して送信され、また、小売業者の管理する情報提供者端末１０３からその小売業者を特定するための識別情報と提供情報とを含む書き込み依頼２が同様にして情報提供者端末１０１に送信され、更に、前記商品を広告媒体として利用する広告主を特定するための識別情報と提供情報（広告情報）とを含む書き込み依頼３が同様にして情報提供者端末１０１に送信される。
【００４２】
製造業者の管理する情報提供者端末１０１は、前述したようにして情報提供者端末１０２、１０３及び１０４のそれぞれから業者を特定するための識別情報及び提供情報を受信する。その後、操作者が製造業者を特定する識別情報及び提供情報と商品を特定する商品情報（商品名、品番、製造番号等）とを入力し、所定の操作を行なうと、前記物流業者、小売業者及び広告主の識別情報及び提供情報、前記入力された製造業者の識別情報及び提供情報、及び前記商品情報を含む書き込み依頼４が情報提供者端末１０１から通信ネットワーク３００を介してタグ情報書き込みサービス業者の書き込み管理サーバ２００に送信される。
【００４３】
書き込み管理サーバ２００は、情報提供者端末１０１から書き込み依頼４を受信すると（Ｓ２００）、その書き込み依頼４に含まれる製造業者、物流業者、小売業者及び広告主それぞれの識別情報及び提供情報と前記商品情報とを取得する。そして、書き込み管理サーバ２００は、前記商品情報に対応付けて製造業者、物流業者、小売業者、広告主それぞれの識別情報及び提供情報をデータベース２０１に保存する（Ｓ２０１）。なお、既に前記商品情報に対応付けて業者の識別情報及び提供情報がデータベース２０１に格納されている場合には、前記商品情報に対応付けられる業者の識別情報及び提供情報が更新される。
【００４４】
その後、操作ユニット２０２によりオペレータがデータベース２０１にアクセスして、前記商品情報を指定すると共に所定の操作を行なうと、書き込み管理サーバ２００は、前記各業者の識別情報、提供情報、及び商品情報を図４に示すフォーマット（体系）に従って編集し、無線タグ１０に書き込むべきタグ情報を生成する（Ｓ２０２）。図４に示すフォーマットは、社会基盤として標準化されるものであっても、タグ情報書き込みサービス業者が独自に決めるものであってもよい。
【００４５】
図４において、当該フォーマットに従ったタグ情報は、無線タグ１０をユニークに特定する、即ち、無線タグ１０が貼付される商品をユニークに特定するＲＦＩＤ、アプリケーション識別子（以下、ＡＩＤという）及びエレメント識別子（以下、ＥＩＤという）により階層的に体系化された識別子にて識別可能な複数の項目からなっている。各ＡＩＤ１、ＡＩＤ２、・・・は「共通」項目に対応付けられ、各ＡＩＤの下位層となる各ＥＩＤ１、ＥＩＤ２は「内容１」項目及び「内容２」項目に対応付けられている。
【００４６】
このように体系化された識別子（ＲＦＩＤ、ＡＩＤ、ＥＩＤ）にて識別可能となる複数の項目からなるタグ情報は、例えば、次のように生成される。
【００４７】
各ＡＩＤ１、ＡＩＤ２、・・・は、それぞれ情報提供者に割当てられる。例えば、ＡＩＤ１は前記商品の製造業者、ＡＩＤ２は前記商品の物流業者、ＡＩＤ３は前記商品の小売業者、ＡＩＤ４は広告主に割当てられる。書き込み管理サーバ２００は、各業者（情報提供者）に割当てられたＡＩＤにて識別される「共通」項目、及びその下位層の各ＥＩＤ１、ＥＩＤ２にて識別される「内容１」項目、「内容２」項目のそれぞれに前記各業者の識別情報及び提供情報と商品情報とを割り振ってタグ情報を生成する。
【００４８】
例えば、図５（ａ）に示すように、商品の製造業者に割当てられたＡＩＤ１に対応する「共通」項目には、商品情報から得られる商品の種類（型式、商品名、製造番号）と製造業者の識別情報から得られる製造業者名及びその連絡先に係る情報とが含められる。ＡＩＤ１の下位層のＥＩＤ１に対応する「内容１」項目には前記製造業者の提供情報から得られる商品の詳細情報（例えば、仕様、特徴、標準価格等）の情報源の通信ネットワーク上での所在を表すＵＲＬ11が含められ、ＡＩＤ１の下位層のＥＩＤ２に対応する「内容２」項目には、前記提供情報から得られる商品のメインテナンス情報（構成部品、各部品の規格、耐用年数、メインテナンス方法等）の情報源の通信ネットワーク上での所在を表すＵＲＬ12及び所定の規則に従って暗号化された暗号化情報を復号するための復号鍵が含められる。
【００４９】
また、図５（ｂ）に示すように、商品の物流業者に割当てられたＡＩＤ２に対応する「共通」項目には、前記物流業者の識別情報から得られる物流業者名及びその連絡先が含められ、ＡＩＤ２の下位層のＥＩＤ１に対応する「内容１」項目には、前記物流業者の提供情報から得られるその物流業者が提供する情報の情報源の通信ネットワーク上での所在を表すＵＲＬ21が含められ、ＡＩＤ２の下位層のＥＩＤ２に対応する「内容２」項目には、前記提供情報から得られる前記物流業者が提供する他の情報の情報源の通信ネットワーク上での所在を表すＵＲＬ22が含められる。
【００５０】
更に、図５（ｃ）に示すように、商品の小売業者に割当てられたＡＩＤ３に対応する「共通」項目には、前記小売業者の識別情報及び提供情報から得られる商品の商品名、販売価格、小売業者名及びその連絡先に係る情報が含められ、ＡＩＤ３の下位層のＥＩＤ１に対応する「内容１」項目には前記小売業者の提供情報から得られるその小売業者が提供する情報の情報源の通信ネットワーク上での所在を表すＵＲＬ31が含められ、ＡＩＤ３の下位層のＥＩＤ２に対応する「内容２」項目には前記提供情報から得られる例えば、広告情報等の情報源の通信ネットワーク上での所在を表すＵＲＬ32及びその情報の利用可能期間を表す有効期限情報（利用期間情報）が含められる。
【００５１】
また、図５（ｄ）に示すように、前記商品を広告媒体として利用する広告主に割当てられたＡＩＤ４に対応する「共通」項目には、前記広告主の識別情報及び提供情報から得られるサービス、商品（無線タグ１０が貼付される商品に関連があるものでも、あるいは、関連がない任意のサービス、商品であってもよい）の広告、その広告主となる業者名及びその連絡先に係る情報が含められ、ＡＩＤ４の下位層のＥＩＤ１に対応する「内容１」項目には前記広告主の提供情報から得られるその広告主が提供する情報の情報源の通信ネットワーク上での所在を表すＵＲＬ41及びその情報の利用可能期間を表す有効期限情報が含められ、ＡＩＤ４の下位層のＥＩＤ２に対応する「内容２」項目には前記提供情報から得られるその広告主が提供する他の情報の情報源を表すＵＲＬ42及び有効期限情報が含められる。
【００５２】
書き込み管理サーバ２００は、前述したようにして所定フォーマットのタグ情報を生成すると、そのタグ情報と書き込み制御信号とをタグライター２１０に転送する（Ｓ２０３）。タグライター２１０は、前記書き込み制御信号に従って、セットされた無線タグ１０に前記タグ情報を書き込む。このようにして、前記製造業者から注文された数の無線タグ１０へのタグ情報の書き込みが終了すると、書き込み管理サーバ２００は書き込み完了通知を前記製造業者の情報提供者端末１０１に通信ネットワーク３００を介して送信する。前記製造業者は、前記書き込み完了通知を受信した情報提供者端末１０１に対して所定の操作を行なうことにより、タグ情報の書き込まれた無線タグ１０が完成したことを知ることができる。
【００５３】
タグ情報書き込みサービス業者は、前述したようにタグ情報を書き込んだ無線タグを製造業者に発送する。そして、発注数の無線タグを受け取った製造業者は、各商品にその無線タグを貼付する。
【００５４】
前述したようなシステムによれば、商品に貼付される無線タグ１０には、その商品の流通に係わる複数の業者（製造業者、物流業者、小売業者）及びその商品を広告媒体として利用する業者（広告主）それぞれの識別情報と提供情報とが対応付けられた所定フォーマット（図４及び図５参照）のタグ情報が保存されることになる。従って、前記複数の業者（情報提供者）は、識別情報及び提供情報をタグ情報書き込みサービス業者に提供するだけでよく、商品に貼付すべき無線タグを個別に用意して識別情報及び提供情報を書き込む作業を行なう必要がない。また、複数の業者からの提供情報が業者の識別情報に対応付けられて単一の無線タグ１０に書き込まれるので、商品に対して複数の業者に対応する複数の無線タグを貼付する必要もない。
【００５５】
なお、前述したシステムにおいて、物流業者の識別情報及び提供情報、小売業者の識別情報及び提供情報、広告主の識別情報及び提供情報が情報提供者端末１０２、１０３、１０４から製造業者の情報提供者端末１０１に送られ、更に、製造業者の情報提供者端末１０１にて前記物流業者、小売業者及び広告主の識別情報及び提供情報に製造業者の識別情報及び提供情報が付加されて書き込み依頼４として書き込み管理サーバ２００に送られるものであったが、書き込み管理サーバ２００に複数の業者それぞれの識別情報及び提供情報を送る手法はこれに限られない。例えば、無線タグ１０を貼付すべき商品を特定して、各業者の情報提供者端末１０１、１０２、１０３、１０４から個別的に識別情報及び提供情報を書き込み管理サーバ２００に送ることもできる。また、例えば、無線タグ１０に書き込むべき情報（識別情報及び提供情報）を取りまとめる業者の装置に各業者の情報提供者端末１０１、１０２、１０３、１０４から無線タグ１０を貼付すべき商品を特定して識別情報及び提供情報を送り、前記取りまとめ業者の装置にて前記複数の業者（情報提供者）からの識別情報及び提供情報を一括して書き込み管理サーバ２００に送ることもできる。
【００５６】
また、前述したシステムでは、各業者が情報提供者端末１０１、１０２、１０３、１０４にそれぞれの識別情報及び提供情報を入力することにより、その識別情報及び提供情報がタグ情報書き込みサービス業者の書き込み管理サーバ２００に送られるものであったが、各業者の識別情報及び提供情報の書き込み管理サーバ２００への提供の手法はこれに限られない。例えば、各業者が識別情報及び提供情報を書面（郵便）、ファックス等によってタグ情報書き込みサービス業者に送り、タグ情報書き込み情報サービス業者のオペレータが操作ユニット２０２を操作して前記各業者の識別情報及び提供情報を入力することができる。この場合、書き込み管理サーバ２００は、操作ユニット２０２から入力された各業者の識別情報及び提供情報を取得してデータベース２０１に格納する。また、各業者が識別情報及び提供情報を格納した記録媒体（フレキシブルディスク、ＣＤ−ＲＯＭ等）をタグ情報書き込みサービス業者に送ることもできる。この場合、オペレータが前記記録媒体を書き込み管理サーバ２００にセットして操作ユニット２０２にて所定操作を行なうことにより、書き込み管理サーバ２００は前記記録媒体から各業者の識別情報及び提供情報を取得してデータベース２０１に格納する。
【００５７】
更に、前述したシステムにおいて、書き込み管理サーバ２００は、オペレータによる操作ユニット２０２の操作に従って提供された識別情報及び提供情報から所定体系（図４参照）のタグ情報を生成することも、また、オペレータが操作ユニット２０２により所定開始操作を行なったときに、自動的に識別情報及び提供情報から前記タグ情報を生成することもできる。後者の場合、各業者が識別情報及び提供情報を所定の形式にて送ることにより、その形式と前記タグ情報の体系（図４参照）との対応関係に基づいて書き込み管理サーバ２００が前記識別情報及び提供情報から前記体系のタグ情報を自動的に生成することができる。
【００５８】
また、前述したシステムでは、無線タグ１０は、無線タグ１０が貼付される商品の流通に係わる複数の業者（製造業者、物流業者、小売業者）及び前記商品を広告媒体として利用する業者からの提供情報を格納するものであったが、他の任意の個人、業者からの提供情報を格納することもできる。
【００５９】
なお、複数のタグ情報書き込みサービス業者が存在し得る。この場合、各タグ情報書き込みサービス業者は独自のフォーマットにてタグ情報を無線タグ１０に書き込む等の独自のサービスを各情報提供者（各業者）に提供することができる。各情報提供者は、無線タグ１０に書き込まれるタグ情報のフォーマット等にて差別化されるサービスの内容や無線タグ１０が貼付される商品の性質等によりタグ情報書き込みサービス業者を選択することができるようになる。タグ情報書き込みサービス業者は提供するサービスによって情報提供者の囲い込みが可能となる。
【００６０】
次に、前述したようなシステムにてタグ情報の書き込まれた無線タグ10を利用するシステムについて説明する。このシステムは、例えば、図６に示すように構成される。
【００６１】
図6において、商品（物品）３０に無線タグ１０が貼付されている。携帯端末２０は無線タグ１０との無線通信機能（リーダ機能）及び基地局４０１及び移動体通信網４０２を介した情報通信機能を有している。移動体通信網４０２はゲートウェイ４０３を介して通信ネットワーク（例えば、インターネット）５００に接続されている。例えば、製造業者が運営管理する情報提供サーバ５０、物流業者が運営管理する情報提供サーバ６０が通信ネットワーク５００に接続されており、携帯端末２０は、基地局４０１、移動体通信網４０２、ゲートウェイ４０３及び通信ネットワーク５００を介して各情報提供サーバ５０、６０との情報通信が可能となっている。なお、図示してはいないが、携帯端末２００は通信ネットワーク５００を介して小売業者及び広告主が管理する他の情報提供サーバとも情報通信が可能となっている。無線タグ１０は前述したようなタグ情報（図４、図５参照）を格納しており、携帯端末２０は、無線タグ１０との無線通信により前記タグ情報の読出しを行い、そのタグ情報に対する所定の処理を行う。
【００６２】
携帯端末２０の具体的な構成は、図７に示すようになっている。
【００６３】
図７において、携帯端末２０は、リーダ部２１、制御部２２、メモリ部２３、移動体通信回路２４、操作部２５及び表示部２６を有している。制御部２２の制御のもとリーダ部２１は、無線タグ１０との無線通信により前記タグ情報を受信する。制御部２２は、リーダ部２１にて受信されたタグ情報及びメモリ部２３に保持された情報等に対する所定の処理を実行する。操作部２５は、ユーザにて操作され、その操作に応じた操作信号を制御部２２に供給する。表示部２６は、制御部２２の制御のもと、前記処理により得られた情報の表示等を行なう。移動体通信回路２４は、制御部２２の制御のもと、基地局４０１、移動体通信網４０２、ゲートウェイ４０３及び通信ネットワーク５００を介して各情報提供サーバ５０、６０との情報通信を行う。移動体通信回路２４は、前記情報通信により、各情報提供サーバ５０、６０から情報を受信すると、その情報を制御部２２に供給する。制御部２２、は移動体通信回路２４からの情報を処理し、その処理により得られた情報等を表示部２６に表示させる。
【００６４】
このようなシステムにおいて、携帯端末２０のリーダ部２１は所定周波数の電波を所定の領域範囲に対して送信するタグサーチ動作を行っている。この過程で、リーダ部２１が商品３０に貼付された無線タグ１０からタグ情報を受信すると、制御部２２の制御のもとメモリ部２３がその受信されたタグ情報を格納する。そして、制御部２２は、前記タグ情報から各ＡＩＤを抽出してそのリストを表示部２６に表示させる。その結果、表示部２６には、各ＡＩＤと共にそのＡＩＤに割当てられた業者が、例えば、次のようにリスト表示される。
ＡＩＤ１：製造業者
ＡＩＤ２：流通業者
ＡＩＤ３：小売業者
ＡＩＤ４：広告主
【００６５】
その後、携帯端末２０の操作者が例えばＡＩＤ１の製造業者の選択操作を行うと、制御部２２は、ＡＩＤ１に対応した「共通」項目の情報及びその下位層のＥＩＤ１に対応した「内容１」項目及びＥＩＤ２に対応した「内容２」項目の各情報を表示部２６に表示させる。その結果、表示部２６には、製造業者に係わる情報（図５（ａ）参照）が
商品種類（型式）
商品名
製造番号
製造業者名
連絡先
ＵＲＬ11
ＵＲＬ12
のように表示部２６に表示される。
【００６６】
これにより、表示部２６に表示された情報を見た操作者は、商品１０の種類（型式）、商品名、製造番号、製造業者名及びその連絡先を知ることができると共に、更に詳細な情報を提供する情報源を特定するＵＲＬ11、ＵＲＬ12を知ることができる。
【００６７】
この状態で、操作者が更にＵＲＬ11の選択操作を行うと、制御部２２は、選択されたＵＲＬ11に基づいて情報源へのアクセス制御を行なう。その結果、移動体通信回路２４が基地局４０１、移動体通信網４０２、ゲートウェイ４０３及び通信ネットワーク５００を介して製造業者の情報提供サーバ５０と情報通信を行う。この情報通信において、移動体通信回路２４からＲＦＩＤが情報提供サーバ５０に送信され、情報提供サーバ５０から前記ＵＲＬ11にて指定されるファイル（Ｗｅｂページ）に含まれる前記ＲＦＩＤに対応した商品１０の詳細情報（例えば、仕様、特徴、標準価格等）が移動体通信回路２４に送信される。制御部２２は、その受信された詳細情報を表示部２６に移動させる。これにより、表示部２６に表示された情報を見た操作者は、商品１０について製造業者が提供する前記詳細情報を知ることができる。
【００６８】
前述したように表示部２６にＡＩＤ（業者）のリスト表示がなされた状態において、ＡＩＤ２の物流業者の選択操作がなされると、図５（ｂ）に示すような物流業者が提供する「共通」項目、「内容１」項目及び「内容２」項目の各情報が表示部２６に表示される。これにより、操作者は商品１０の物流業者を知ることができると共に、更に詳細な情報を提供する情報源を特定するＵＲＬ21、ＵＲＬ22を知ることができる。また、この状態でＵＲＬ21またはＵＲＬ22 の選択操作がなされると、前述したのと同様に、その選択されたＵＲＬに基づいて携帯端末２０から物流業者の情報提供サーバ６０にアクセスがなされ、情報提供サーバ６０から前記ＵＲＬにて指定されるファイルに含まれる前記ＲＦＩＤに対応した詳細情報が情報提供サーバ６０から携帯端末２０に送信され、その詳細情報が表示部２６に表示される。これにより、表示部２６に表示された情報を見た操作者は、商品１０について物流業者が提供する詳細情報を知ることができる。
【００６９】
更に、前述したように表示部２６にＡＩＤ（業者）のリスト表示がなされた状態において、ＡＩＤ３の小売業者の選択操作がなされると、図５（ｃ）に示すような小売業者が提供する各項目の情報が表示部２６に表示される（なお、「内容２」項目の有効期限は表示されない)。これにより、操作者は商品１０の商品名、販売価格、小売業者名及びその連絡先を知ることができると共に、更に詳細な情報を提供する情報源を特定するＵＲＬ31、ＵＲＬ32を知ることができる。また、この状態でＵＲＬ31またはＵＲＬ32の選択操作がなされると、前述したのと同様に、その選択されたＵＲＬに基づいて小売業者の情報提供サーバ（図示略）から詳細情報が携帯端末２０に送信され、操作者は、商品１０について小売業者が提供する詳細情報を知ることができる。
【００７０】
また、前述したように表示部２６にＡＩＤ（業者）のリスト表示がなされた状態において、ＡＩＤ４の広告主の選択操作がなされると、図５（ｄ）に示すような広告主が提供する各項目の情報が表示部２６に表示される（なお、「内容１」項目及び「内容２」項目の有効期限は表示されない)。これにより、操作者は広告主が提供する商品やサービスの広告を見ることができる。
【００７１】
なお、前述した処理の過程で、例えば、製造業者が提供するＵＲＬ12（図５（ａ）における「内容２」項目参照）の選択操作がなされた場合、製造業者の情報提供サーバ５０は、ＵＲＬ12で指定される詳細情報を所定の暗号鍵にて暗号化して携帯端末２０に送信する。この暗号化された情報を受信した携帯端末２０では、制御部２２が「内容２」項目に含まれる前記暗号鍵に対応した復号鍵を用いて受信された情報を複合して元の詳細情報を復元する。これにより、携帯端末２０と情報提供サーバ５０との間でセキュリティの高い情報通信が可能となる。
【００７２】
また、例えば、小売業者が提供するＵＲＬ32（図５(ｃ）における「内容２」項目参照)の選択操作がなされた場合、制御部２６は、そのＵＲＬ32と共に「内容２」項目に含まれる有効期限に基づいてＵＲＬ32の有効期限に達しているか否かを判定する。その有効期限にまだ達していなければ、携帯端末２０から前記ＵＲＬ32に基づいて小売業者の情報提供サーバにアクセスがなされ、携帯端末２０にて商品１０について小売業者が提供する詳細情報を受信することができる。一方、前記有効期限に既に達していれば、制御部２２は、前記情報提供サーバへのアクセス制御を行なうことなく、期限切れであることを表すメッセージを表示部２６に表示させる。これにより、小売業者（情報提供者）は、提供情報の有効期限を情報提供サーバにて管理していなくても、期限付きの情報をユーザ（携帯端末２０の操作者）に提供することができるようになる。
【００７３】
広告主が提供するＵＲＬ41あるいはＵＲＬ42（図５（ｄ）における「内容１」項目、「内容２」項目参照」の選択操作がなされた場合も、前記ＵＲＬ32が選択された場合と同様となる。
【００７４】
前述したようなシステムによれば、無線タグ１０に格納されているタグ情報が、無線タグ１０の貼付された商品１０の流通に係わる業者及び広告主毎に「共通」項目、「内容１」項目、「内容２」項目と階層的な体系に従って構成されているので、共通の商品１０に関する複数の業者からの情報を統一的に把握し易いかたちにて利用者（携帯端末２０の操作者）に提供することができるようになる。
【００７５】
また、前述したようなシステムでは、各業者の提供情報に含まれるＵＲＬは、各業者が個別に運営、管理する情報提供サーバ（５０、６０等）に形成された情報源（ファイル、Ｗｅｂページ等）を特定するものであったが、例えば、情報提供代行サービス業者が運営、管理するサーバに形成された情報源を特定することもできる。この場合、各業者から提供すべき詳細な情報を登録することの依頼を受けた前記情報提供代行サービス業者は、自身が運営、管理するサーバに業者毎に割当てた情報源を形成し、その情報源に対応する業者から依頼された詳細な情報を登録する。これにより、各業者は自己が運営、管理する情報提供サーバ（５０、６０等）を有していなくても、前記情報提供代行サービス業者に依頼することにより、タグ情報に含まれない更に詳細な情報を携帯端末２０の所持者に提供することができるようになる。
【００７６】
なお、前記情報提供代行サービス業者は、前記タグ情報書き込みサービス業者（図１参照)が兼ねることもできる。
【産業上の利用可能性】
【００７７】
以上、説明したように、本発明に係る無線タグの情報書き込み装置及びその装置での処理方法は、複数の情報提供者が個別的に無線タグを作製することなく、かつ、共通の物品に対する複数の情報提供者からの情報を統一的に把握し易いかたちで提供できるような無線タグを実現することができるようになるという効果を有し、無線タグに対する情報の書き込み装置及びその装置での処理方法として有用である。
【図面の簡単な説明】
【００７８】
【図１】本発明の実施の一形態に係る無線タグの情報書き込み装置が適用されるシステムを示す図
【図２】無線タグの構成例を示す図
【図３】図１に示すシステムにてなされる処理の手順を示すシーケンス図
【図４】無線タグに書き込まれるべきタグの情報の構成例を示す図
【図５】タグ情報に含まれる各項目の情報を示す図
【図６】無線タグからタグ情報を読み出して利用するシステムを示す図
【図７】携帯端末（リーダ装置）の構成例を示すブロック図
【符号の説明】
【００７９】
１０  無線タグ
２０  携帯端末（リーダ装置）
３０  商品
５０、６０  情報提供サーバ
１０１、１０２、１０３、１０４  情報提供者端末
２００  書き込み管理サーバ
２０１  データベース
２０２  操作ユニット
２０３  表示ユニット
２１０  タグライター
３００、５００  通信ネットワーク
４０１  基地局
４０２  移動体通信網
４０３  ゲートウェイ
【図１】
2005258871.tif 000003
【図２】
2005258871.tif 000004
【図３】
2005258871.tif 000005
【図４】
2005258871.tif 000006
【図５】
2005258871.tif 000007
【図６】
2005258871.tif 000008
【図７】
2005258871.tif 000009